(57)【要約】【課題】本発明は、回転軸とハウジング間をスラストボール軸受で接続することにより、小刻みな変位及び作動に対応でき、電源不要とすることを目的とする。【解決手段】本発明によるスリップクラッチ構造は、ハウジング(1)の前蓋(2)と後蓋(3)の各軸受(4,6)に回転軸(9)を回転自在に設け、前記ハウジング(1)と回転軸(9)の回転円板(10)との間を複数のボール(20,21)からなるスラストボール軸受(30)で接続し、前記ハウジング(1)又は回転軸(9)の何れかを回転する構成である。【選択図】図１
2009052690.tif 000002
【特許請求の範囲】
【請求項１】
全体が筒状をなすハウジング(1)と、前記ハウジング(1)の両端に設けられ軸受(4,6)を有する前蓋(2)及び後蓋(3)と、前記ハウジング(1)内に設けられ前記各軸受(4,6)に回転自在に支持された回転軸(9)と、前記ハウジング(1)の内壁(1a)から軸中心に向けて突出し前記前蓋(2)と後蓋(3)間に位置する輪状ハウジング壁部(7)と、前記回転軸(9)の外周に設けられ前記前蓋(2)と前記輪状ハウジング壁部(7)との間に位置する回転円板(10)と、前記前蓋(2)と回転円板(10)との間に設けられた複数の第１ボール(20)と、前記回転円板(10)と前記輪状ハウジング壁部(7)との間に設けられた複数の第２ボール(21)と、前記輪状ハウジング壁部(7)と前記後蓋(3)との間に設けられた弾性部材(8)と、を備え、
前記ハウジング(1)又は回転軸(9)の何れか一方を固定し、他方を回転させると、前記各ボール(20,21)の滑りにより前記他方が回転する構成としたことを特徴とするスリップクラッチ構造。
【請求項２】
前記回転軸(9)の先端部(9a)は前記前蓋(2)を貫通して突出し、前記先端部(9a)には歯車(9A)が設けられていることを特徴とする請求項１記載のスリップクラッチ構造。
【請求項３】
前記各第１ボール(20)は、前記前蓋(2)の内面の第１輪状凹部(11)と前記回転円板(10)の一面の第２輪状凹部(12)との間に位置し、前記各第２ボール(21)は、前記回転円板(10)の他面の第３輪状凹部(13)と前記輪状ハウジング壁部(7)の第４輪状凹部(14)との間に位置していることを特徴とする請求項１又は２記載のスリップクラッチ構造。
【発明の詳細な説明】
【技術分野】
【０００１】
本発明は、スリップクラッチ構造に関し、特に、ハウジングと回転円板との間に、スラストボール軸受を用いることにより、初動時とスリップ時に必要な力が近似し、小刻みな変位及び作動に対応でき、電源不要な構成とするための新規な改良に関する。
【背景技術】
【０００２】
従来、用いられていたこの種のスリップクラッチ構造としては、その構造を特に特許出願していないため、図示を省略しているが、例えば、第１従来例として、摩擦板等を用いたスリップクラッチの構造、あるいは、第２従来例として、電磁クラッチを用いたスリップクラッチの構造が提案されている。
【発明の開示】
【発明が解決しようとする課題】
【０００３】
従来のスリップクラッチ構造は、以上のように構成されていたため、次のような課題が存在していた。
すなわち、第１従来例である摩擦板を用いたスリップクラッチ構造の場合、初動時において、一時的に大きいトルクを必要とし、オン／オフを繰り返す小刻みな作動を必要とする要望には対応することができなかった。
また、第２従来例である電磁クラッチを用いた構造では、初動時とスリップ時においてトルク差異は存在しないが、電磁クラッチを作動させるための電源を必要としていたため、無電源型とすることは不可能であった。
【課題を解決するための手段】
【０００４】
本発明によるスリップクラッチ構造は、全体が筒状をなすハウジングと、前記ハウジングの両端に設けられ軸受を有する前蓋及び後蓋と、前記ハウジング内に設けられ前記各軸受に回転自在に支持された回転軸と、前記ハウジングの内壁から軸中心に向けて突出し前記前蓋と後蓋間に位置する輪状ハウジング壁部と、前記回転軸の外周に設けられ前記前蓋と前記輪状ハウジング壁部との間に位置する回転円板と、前記前蓋と回転円板との間に設けられた複数の第１ボールと、前記回転円板と前記輪状ハウジング壁部との間に設けられた複数の第２ボールと、前記輪状ハウジング壁部と前記後蓋との間に設けられた弾性部材と、を備え、前記ハウジング又は回転軸の何れか一方を固定し、他方を回転させると、前記各ボールの滑りにより前記他方が回転する構成であり、また、前記回転軸の先端部は前記前蓋を貫通して突出し、前記先端部には歯車が設けられている構成であり、また、前記各第１ボールは、前記前蓋の内面の第１輪状凹部と前記回転円板の一面の第２輪状凹部との間に位置し、前記各第２ボールは、前記回転円板の他面の第３輪状凹部と前記輪状ハウジング壁部の第４輪状凹部との間に位置している構成である。
【発明の効果】
【０００５】
本発明によるスリップクラッチ構造は、以上のように構成されているため、次のような効果を得ることができる。
すなわち、回転軸の回転円板とハウジングの前蓋及び輪状ハウジング壁部との間は、複数のボールによるスラストボール軸受によって摩擦接続されているため、初動時とスリップ時に必要な力が近似することになり、小刻みな変位及び作動に対応できる。
また、スリップクラッチとしては電源を何ら必要としないため、電源不要型のスリップクラッチを得ることができる。
【発明を実施するための最良の形態】
【０００６】
本発明は、ハウジングと回転円板との間に、スラストボール軸受を用いることにより、初動時とスリップ時に必要な力が近似し、小刻みな変位及び作動に対応でき、電源不要な構成としたスリップクラッチ構造を提供することを目的とする。
【実施例】
【０００７】
以下、図面と共に本発明によるスリップクラッチ構造の好適な実施の形態について説明する。
図１において符号１で示されるものは、全体形状がほぼ筒状をなすハウジングであり、このハウジング１の両端には、一体及びねじ込みによって前蓋２及び後蓋３が設けられている。
【０００８】
前記前蓋２は前記ハウジング１と一体に形成されていると共に、その内端に第１軸受４が設けられている。
前記後蓋３は、前記ハウジング１のねじ部５を介してねじ込み式に設けられ、その内端には第２軸受６が設けられている。
【０００９】
前記ハウジング１の内壁１ａには、軸中心へ向けて突出する輪状ハウジング壁部７が設けられており、この輪状ハウジング壁部７と後蓋３との間には皿ばね等からなる弾性部材８が設けられ、各軸受４，６に対して予圧が加えられるように構成されている。
【００１０】
前記各軸受４，６には回転軸９が回転自在に設けられ、この回転軸９の外周には、回転円板１０が一体に設けられ、この回転円板１０は前記ハウジング１の半径方向に沿って形成されると共に、前記前蓋２と輪状ハウジング壁部７との間に位置している。
【００１１】
前記回転軸９の先端部９ａは、前記前蓋２の第１軸受４を貫通して外部に突出し、この先端部９ａには歯車９Ａが一体回転するように設けられている。
【００１２】
前記前蓋２の内面には輪状に形成された第１輪状凹部１１が形成され、前記回転円板１０の一面には輪状に形成された第２輪状凹部１２が形成されている。
前記回転円板１０の他面には輪状の第３輪状凹部１３が形成され、前記輪状ハウジング壁部７の内面には輪状をなす第４輪状凹部１４が形成されている。
【００１３】
前記第１、第２輪状凹部１１，１２間には、複数の第１ボール２０が挟持された状態で配設されており、前記第３、第４輪状凹部１３，１４間には複数の第２ボール２１が挟持された状態で配設されている。
従って、前記各ボール２０，２１によりスラストボール軸受３０を形成している。
【００１４】
次に、動作について述べる。まず、前述の構成において、前記ハウジング１又は回転軸９の何れか一方を固定し、他方を回転させると、前記各ボール２０，２１が滑って回転することにより、ハウジング１又は回転軸９の何れかのスリップ回転を行うことができる。
尚、前述の場合、前記回転軸９又はハウジング１を回転させる場合、初動時とスリップ時に必要な力が近似していることにより、小刻みな回転変位及び作動に対応できると共に、電源不要なスリップクラッチを得ることができる。
【図面の簡単な説明】
【００１５】
【図１】本発明によるスリップクラッチ構造を示す断面図である。
【符号の説明】
【００１６】
１    ハウジング
１ａ    内壁
２    前蓋
３    後蓋
４    第１軸受
５    ねじ部
６    第２軸受
７    輪状ハウジング壁部
８    弾性部材
９    回転軸
９ａ    先端部
９Ａ    歯車
１０    回転円板
１１    第１輪状凹部
１２    第２輪状凹部
１３    第３輪状凹部
１４    第４輪状凹部
２０    第１ボール
２１    第２ボール
３０    スラストボール軸受
【図１】
2009052690.tif 000003